【手続補正書】
【提出日】平成26年1月20日(2014.1.20)
【手続補正１】
【補正対象書類名】明細書
【補正対象項目名】発明の名称
【補正方法】変更
【補正の内容】
【発明の名称】ダックビル弁及び他のタイプの弁を使用するダイアフラムポンプ
【手続補正２】
【補正対象書類名】特許請求の範囲
【補正対象項目名】全文
【補正方法】変更
【補正の内容】
【特許請求の範囲】
【請求項１】
ダイアフラムポンプであって、
入口開口部と出口開口部とで構成されている弁ハウジングと、
それぞれの入口開口部内に配置されるように各々が構成されている入口ダックビル逆止弁アセンブリと、
それぞれの出口開口部内に配置されるように各々が構成されている出口ダックビル逆止弁アセンブリとを備え、
各々のダックビル逆止弁アセンブリは、
流体と粒子とを提供するように開くための、及び、流体と粒子の逆流を防止するように閉じるための、スリットを有する端部によって構成されている、ダックビル逆止弁座と、
前記ダックビル逆止弁座の内側に挿入されるように構成されている基部部分を有し、かつ、流体と粒子をそのダックビル逆止弁サポートを通して前記ダックビル逆止弁座に通過させるための開口部によって構成されており、かつ、さらに、流体と粒子とによって生じさせられる背圧に対応して前記ダックビル逆止弁の壁のための支持を与えるように構成されているＷ字形部分を有する、ダックビル逆止弁サポートとを備え、
前記Ｗ字形部分は、前記ダックビル逆止弁サポートの中を通して前記ダックビル逆止弁座に流体と粒子を通すための開口部を形成するように、かつ、約０．５５ＭＰａ(約８０ＰＳＩ)までの背圧を含む、流体と粒子によって生じさせられる背圧に対応して前記ダックビル逆止弁座の壁の支持を実現するように構成されている、２つの末端支持アームと２つの隆起中間支持アームとを含む、ダイアフラムポンプ。
【請求項２】
前記弁ハウジングは、入口チャンバから前記入口ダックビル逆止弁アセンブリを経由して流体を受け入れるための弁ハウジングチャンバで構成されている請求項１に記載のダイアフラムポンプ。
【請求項３】
前記弁ハウジングは、前記出口ダックビル逆止弁アセンブリを経由して出口チャンバに流体を供給するように前記弁ハウジングチャンバで構成されている請求項１に記載のダイアフラムポンプ。
【請求項４】
各々の入口ダックビル逆止弁座は、入口側から排出側へ流体と粒子を供給するように開くための、及び、排出側から入口側への流体と粒子の逆流を防止するように閉じるための、スリットを有する端部で構成されている請求項１に記載のダイアフラムポンプ。
【請求項５】
各々の出口ダックビル逆止弁座は、排出側から流体と粒子を供給するように開くための、及び、排出側から入口側への流体と粒子の逆流を防止するように閉じるための、スリットを有する端部で構成されている請求項１に記載のダイアフラムポンプ。
【請求項６】
前記弁ハウジングは五角形に形成されており、前記弁ハウジングは、前記入口チャンバから前記弁ハウジングチャンバに流体と粒子を供給するための５つの入口開口部を有する請求項２に記載のダイアフラムポンプ。
【請求項７】
前記弁ハウジングは五角形に構成されており、前記弁ハウジングは、前記弁ハウジングチャンバから前記出口チャンバに流体と粒子を供給するための５つの出口開口部を有する請求項３に記載のダイアフラムポンプ。
【請求項８】
前記Ｗ字形部分は、前記ダックビル逆止弁座の端部の壁を支持するための外側壁で構成されている請求項１に記載のダイアフラムポンプ。
【請求項９】
前記ダックビル逆止弁サポートは、２つの位置決めタブ又は位置決め翼部を含み、前記ダックビル逆止弁座の前記基部部分は、その内側壁内に配置されており、かつ、前記ダックビル逆止弁サポートに対して適正な方向と適正な深さに前記ダックビル逆止弁座を軸方向に位置合わせするために、及び、背圧を原因として前記ダックビル逆止弁座の外へダックビル逆止弁サポートが押し出されることを防止するために、前記２つの位置決めタブ又は位置決め翼部を受け入れるように構成されている２つの位置決め凹みを含む請求項１に記載のダイアフラムポンプ。
【請求項１０】
前記ダックビル逆止弁サポートは金属又はプラスチックで作られており、前記ダックビル逆止弁座は、ゴム又は合成エラストマー材料、又は、これらの組合せを含む、柔軟な材料で作られている請求項１に記載のダイアフラムポンプ。
【請求項１１】
前記ダイアフラムポンプは回転ダイアフラムポンプである請求項１に記載のダイアフラムポンプ。
【請求項１２】
ダイアフラムポンプであって、
少なくとも１つの入口開口部と少なくとも１つの出口開口部で構成されている弁ハウジングと、
前記少なくとも１つの入口開口部内に受け入れられるように構成されている少なくとも１つの入口ダックビル逆止弁アセンブリと、
前記少なくとも１つの出口開口部内に受け入れられるように構成されている少なくとも１つの出口ダックビル逆止弁アセンブリとを備え、
前記ダックビル逆止弁アセンブリの各々は、
流体と粒子とを提供するように開くための、及び、流体と粒子の逆流を防止するように閉じるための、スリットを有する端部によって構成されている、ダックビル逆止弁座と、
前記ダックビル逆止弁座の内側に挿入されるように構成されている基部部分を有し、かつ、流体と粒子をそのダックビル逆止弁サポートを通して前記ダックビル逆止弁座に通過させるための開口部によって構成されており、かつ、さらに、流体と粒子とによって生じさせられる背圧に対応して前記ダックビル逆止弁の壁のための支持を与えるように構成されている、Ｗ字形部分を有するダックビル逆止弁サポートとを備え、
前記Ｗ字形部分は、前記ダックビル逆止弁サポートの中を通して前記ダックビル逆止弁座に流体と粒子を通すための開口部を形成するように、かつ、約０．５５ＭＰａ(約８０ＰＳＩ)までの背圧を含む、流体と粒子によって生じさせられる背圧に対応して前記ダックビル逆止弁座の壁の支持を実現するように構成されている、２つの末端支持アームと２つの隆起中間支持アームとを含む、ダイアフラムポンプ。
【請求項１３】
前記弁ハウジングは、複数の入口開口部で構成されており、前記少なくとも１つの入口ダックビル逆止弁アセンブリは、前記複数の入口開口部のそれぞれ１つの中に配置されるように各々が構成されている、複数の入口ダックビル逆止弁アセンブリを備える請求項１２に記載のダイアフラムポンプ。
【請求項１４】
前記弁ハウジングは、複数の出口開口部で構成されており、前記少なくとも１つの出口ダックビル逆止弁アセンブリは、前記複数の出口開口部のそれぞれ１つの中に配置されるように各々が構成されている、複数の出口ダックビル逆止弁アセンブリを備える請求項１３に記載のダイアフラムポンプ。
【請求項１５】
前記弁ハウジングは、複数の出口開口部で構成されており、前記少なくとも１つの出口ダックビル逆止弁アセンブリは、前記複数の出口開口部のそれぞれ１つの中に配置されるように各々が構成されている、複数の出口ダックビル逆止弁アセンブリを備える請求項１２に記載のダイアフラムポンプ。
【手続補正３】
【補正対象書類名】図面
【補正対象項目名】図５ａ
【補正方法】変更
【補正の内容】
【図５ａ】
2013024245.tif 000001
【手続補正４】
【補正対象書類名】図面
【補正対象項目名】図５ｂ
【補正方法】変更
【補正の内容】
【図５ｂ】
2013024245.tif 000002
【手続補正５】
【補正対象書類名】図面
【補正対象項目名】図６ａ
【補正方法】変更
【補正の内容】
【図６ａ】
2013024245.tif 000003
【手続補正６】
【補正対象書類名】図面
【補正対象項目名】図６ｂ
【補正方法】変更
【補正の内容】
【図６ｂ】
2013024245.tif 000004
【手続補正７】
【補正対象書類名】図面
【補正対象項目名】図７ａ
【補正方法】変更
【補正の内容】
【図７ａ】
2013024245.tif 000005
【手続補正８】
【補正対象書類名】図面
【補正対象項目名】図７ｂ
【補正方法】変更
【補正の内容】
【図７ｂ】
2013024245.tif 000006